(57)【要約】【課題】  音声符号化データに対する分割、結合等の編集を高速に行い、かつデータ再生時にそれらの編集点において発生する異音を排除可能な音声符号化データ編集装置を提供する。【解決手段】  原音声符号化データ５０１を、復号処理部の安定化に十分なサンプル数分のデータサイズだけ分割点Ｂより前方に位置する復号開始点Ａから、同データサイズだけ分割点Ｂより後方に位置する修正終了点Ｃまで、音声符号化フレーム単位で切り出して復号し、データ５０２を生成する。データ５０２を分割点Ｂから修正終了点Ｃまで音声サンプリングデータ単位で切り出したデータ５０３を符号化してデータ５０４を生成する。データ５０１のうち分割点Ｂから修正終了点Ｃまでをデータ５０４に置き換えて編集後音声符号化データ５０５を生成する。【選択図】  図５
2009216915.tif 000002
【特許請求の範囲】
【請求項１】
音声符号化データを所望の分割編集点で前部と後部とに分割編集する音声符号化データ編集装置において、
前記音声符号化データを前記分割編集点より所定時間ｔだけ前方に位置する切出開始点から前記分割編集点より所定時間ｔだけ後方に位置する切出終了点まで音声符号化フレーム単位で切り出す手段と、
前記切り出された音声符号化データを復号音声情報に復号する手段と、
前記復号音声情報を前記分割編集点から前記切出終了点まで音声サンプリングデータ単位で切り出す手段と、
前記切り出された復号音声情報を符号化する手段と、
前記切り出し前の音声符号化データのうち前記分割編集点から前記切出終了点までを前記符号化された復号音声情報に置き換えて後部の音声符号化データを生成する分割編集手段と、
を具備することを特徴とする音声符号化データ編集装置。
【請求項２】
前記音声符号化データを前記切出開始点から切り出せない場合は前記音声符号化データの先頭を前記切出開始点とし、または、前記音声符号化データを前記切出終了点まで切り出せない場合は前記音声符号化データの最後を前記切出終了点として、音声符号化フレーム単位で切り出すことを特徴とする請求項１に記載の音声符号化データ編集装置。
【請求項３】
第１の音声符号化データと第２の音声符号化データとを結合編集する音声符号化データ編集装置において、
前記第１の音声符号化データを所望の第１の結合編集点より所定時間２Ｔだけ前方に位置する第１の切出開始点から前記第１の結合編集点まで音声符号化フレーム単位で切り出す手段と、
前記切り出された第１の音声符号化データを第１の復号音声情報に復号する手段と、
前記第１の復号音声情報を前記第１の結合編集点より所定時間Ｔだけ前方に位置する第２の切出開始点から前記第１の結合編集点まで音声サンプリングデータ単位で切り出す手段と、
前記第２の音声符号化データを所望の第２の結合編集点より所定時間Ｔだけ前方に位置する第３の切出開始点から前記第２の結合編集点より所定時間Ｔだけ後方に位置する第２の切出終了点まで音声符号化フレーム単位で切り出す手段と、
前記切り出された第２の音声符号化データを第２の復号音声情報に復号する手段と、
前記第２の復号音声情報を前記第２の結合編集点から前記第２の切出終了点まで音声サンプリングデータ単位で切り出す手段と、
前記切り出された第１及び第２の復号音声情報をそれぞれの前記第１及び第２の結合編集点で結合して第３の復号音声情報を生成する手段と、
前記第３の復号音声情報を符号化して符号化音声情報を生成する手段と、
前記符号化音声情報を前記結合点から所定時間Ｔだけ後方まで音声符号化フレーム単位で切り出す手段と、
前記切り出し前の第２の音声符号化データのうち前記第２の結合編集点から前記第３の切出終了点までを前記切り出された符号化音声情報に置き換えて、前記第１及び第２の結合編集点で前記第１及び第２の音声符号化データを結合する結合編集手段と、
を具備することを特徴とする音声符号化データ編集装置。
【請求項４】
前記第１の音声符号化データを前記第１の切出開始点から切り出せない場合は前記第１の音声符号化データの先頭を前記第１の切出開始点とし、前記第２の音声符号化データを前記第３の切出開始点から切り出せない場合は前記第２の音声符号化データの先頭を前記第３の切り出し開始点とし、または、前記第２の音声符号化データを前記第２の切出終了点まで切り出せない場合は前記第２の音声符号化データの最後を前記第２の切出終了点として、音声符号化フレーム単位で切り出すことを特徴とする請求項３に記載の音声符号化データ編集装置。
【請求項５】
音声符号化データを所望の分割編集点で前部と後部とに分割編集する音声符号化データ編集方法において、
前記音声符号化データを前記分割編集点より所定時間ｔだけ前方に位置する切出開始点から前記分割編集点より所定時間ｔだけ後方に位置する切出終了点まで音声符号化フレーム単位で切り出し、
前記切り出された音声符号化データを復号音声情報に復号し、
前記復号音声情報を前記分割編集点から前記切出終了点まで音声サンプリングデータ単位で切り出し、
前記切り出された復号音声情報を符号化し、
前記切り出し前の音声符号化データのうち前記分割編集点から前記切出終了点までを前記符号化された復号音声情報に置き換えて後部の音声符号化データを生成することを特徴とする音声符号化データ編集方法。
【発明の詳細な説明】
【技術分野】
【０００１】
本発明は、音声符号化データを複数に分割、或いは複数の音声符号化データを結合する際に用いられる音声符号化データ編集装置に係り、特に、データ再生時にそれらの編集点において発生する異音を排除可能な音声符号化データ編集装置に関する。
【背景技術】
【０００２】
近年、アナログ信号である音声情報をデジタル化して扱う機会が増えてきており、これに伴ってデジタル化された音声情報を編集する機会も増えてきている。このような場合、通常、音声情報を所定のサンプリング周波数でサンプリングし、アナログ信号をＰＣＭ(Pulse Code Modulation)デジタル信号に変換する処理を行う。
【０００３】
ＰＣＭデータは、単なる音声サンプル毎の情報でありサンプル情報間に依存関係が無いため、記録したＰＣＭデータファイルを任意の個所で分割して再生したり、或いは、記録した複数のＰＣＭデータファイルを任意の個所で結合して再生させたりすることができる。
【０００４】
しかしながら、ＰＣＭデータは、サンプル値をそのままデジタル化するだけなので、記録したときに容量が大きくなり、記録媒体にかかるコストが増大する傾向にある。
【０００５】
そこで、一般にＰＣＭデータを記憶媒体に記録する際には、音声符号化処理による情報量の圧縮が行われる。例えば、ＩＴＵ−Ｔで規格化されている音声符号化方式であるＧ．７２６（ＡＤＰＣＭ）は、ＰＣＭサンプルデータ間の相関に基づいて次サンプル値を適応的に予測し、予測した信号と原信号との差分に対し、適応的に量子化ステップを変化させながら、量子化・符号化を行うことで情報量を圧縮するものである。
【０００６】
しかしながら、このような予測符号化方式によって符号化された音声符号化データに対し分割、結合等の編集が行われた場合、予測符号化における内部状態に符号化時点と復号時点で整合性が無いため、データ再生時に、分割点、結合点等の編集点において予測器が正しく動作できず、異音が発生することがある。
【０００７】
そこで、予測符号化方式によって符号化された音声符号化データを編集する際には、音声符号化データを一旦ＰＣＭデータに復号して編集作業を行い、その後に再符号化を行ったり、分割したＰＣＭデータを復号・再生する際には、復号時の予測器が安定するまで復号ＰＣＭ信号をミュート処理したり、或いはファイルフォーマットとして編集個所や補助情報をサイド情報として書き込んで、復号処理側でそれに基づいた処理を行ったりする等の対処をしていた（例えば特許文献１を参照）。
【特許文献１】特開２０００−３１５０９８公報
【発明の開示】
【発明が解決しようとする課題】
【０００８】
上述したように、従来の音声符号化データ編集装置において、音声符号化データを一旦ＰＣＭデータに復号して編集作業を行い、その後に再符号化を行う場合、編集データの全てについて再符号化を行う必要があるため、その処理時間が増大するとともに、再符号化によって復号時に若干の音声品質の劣化を伴っていた。
【０００９】
復号時に予測器が安定するまで復号ＰＣＭ信号をミュート処理する場合は、分割点付近の再生信号がミュートされるため、本来再生されるべき信号が欠けてしまう、或いは、結合編集時に結合点が判らないので対処できないといった問題が生じていた。
【００１０】
また、ファイルフォーマットとして編集個所や補助情報をサイド情報として書き込んで、復号処理側でそれに基づいた処理を行う場合は、サイド情報を付加するため音声符号化データのサイズが増加するとともに、標準の符号化方式を採用しても独自のフォーマットとなってしまい、その端末でしか再生できないという制約が生じていた。
【００１１】
本発明は上記の課題を解決するためになされたものであり、音声符号化データに対する分割、結合等の編集を高速に行い、かつデータ再生時にそれらの編集点において発生する異音を排除可能な音声符号化データ編集装置を提供することを目的とする。
【課題を解決するための手段】
【００１２】
本発明の音声符号化データ編集装置は、音声符号化データを所望の分割編集点で前部と後部とに分割編集するものであり、前記音声符号化データを前記分割編集点より所定時間ｔだけ前方に位置する切出開始点から前記分割編集点より所定時間ｔだけ後方に位置する切出終了点まで音声符号化フレーム単位で切り出す手段と、前記切り出された音声符号化データを復号音声情報に復号する手段と、前記復号音声情報を前記分割編集点から前記切出終了点まで音声サンプリングデータ単位で切り出す手段と、前記切り出された復号音声情報を符号化する手段と、前記切り出し前の音声符号化データのうち前記分割編集点から前記切出終了点までを前記符号化された復号音声情報に置き換えて後部の音声符号化データを生成する分割編集手段とを備えている。
【００１３】
これによれば、分割編集点から予測器が安定するまでの時間に対応する原信号に近い復号音を得られ、その部分だけを符号化器初期状態から再符号化したデータで置き換えることで、復号再生時に、異音なく、再生音声が欠けることなく、かつ高速に分割編集できる。
【００１４】
また、本発明の音声符号化データ編集装置は、第１の音声符号化データと第２の音声符号化データとを結合編集するものであり、前記第１の音声符号化データを所望の第１の結合編集点より所定時間２Ｔだけ前方に位置する第１の切出開始点から前記第１の結合編集点まで音声符号化フレーム単位で切り出す手段と、前記切り出された第１の音声符号化データを第１の復号音声情報に復号する手段と、前記第１の復号音声情報を前記第１の結合編集点より所定時間Ｔだけ前方に位置する第２の切出開始点から前記第１の結合編集点まで音声サンプリングデータ単位で切り出す手段と、前記第２の音声符号化データを所望の第２の結合編集点より所定時間Ｔだけ前方に位置する第３の切出開始点から前記第２の結合編集点より所定時間Ｔだけ後方に位置する第２の切出終了点まで音声符号化フレーム単位で切り出す手段と、前記切り出された第２の音声符号化データを第２の復号音声情報に復号する手段と、前記第２の復号音声情報を前記第２の結合編集点から前記第２の切出終了点まで音声サンプリングデータ単位で切り出す手段と、前記切り出された第１及び第２の復号音声情報をそれぞれの前記第１及び第２の結合編集点で結合して第３の復号音声情報を生成する手段と、前記第３の復号音声情報を符号化して符号化音声情報を生成する手段と、前記符号化音声情報を前記結合点から所定時間Ｔだけ後方まで音声符号化フレーム単位で切り出す手段と、前記切り出し前の第２の音声符号化データのうち前記第２の結合編集点から前記第３の切出終了点までを前記切り出された符号化音声情報に置き換えて、前記第１及び第２の結合編集点で前記第１及び第２の音声符号化データを結合する結合編集手段とを備えている。
【００１５】
これによれば、結合編集点以降の予測器の内部状態が不整合な区間の符号化データを予測器の内部状態がほぼ整合した符号化データが得られ、それを結合編集点以降のデータと置き換えることで、復号再生時に、異音なく、かつ高速に分割編集ができる。
【発明の効果】
【００１６】
本発明によれば、音声符号化データを分割編集する場合、分割編集点から予測器が安定するまでの時間に対応する原信号に近い復号音を得られ、その部分だけを符号化器初期状態から再符号化したデータで置き換えることで、復号再生時に、異音なく、再生音声が欠けることなく、かつ高速に分割編集ができる。
【００１７】
また、音声符号化データを結合編集する場合、結合編集点以降の予測器の内部状態が不整合な区間の符号化データを予測器の内部状態がほぼ整合した符号化データが得られ、それを結合編集点以降のデータと置き換えることで、復号再生時に、異音なく、かつ高速に分割編集ができる。
【発明を実施するための最良の形態】
【００１８】
以下、図面を参照して本発明の実施の形態について説明する。
【００１９】
図１は、本発明の一実施形態に係る音声符号化データ編集装置１００の構成を示すブロック図である。
【００２０】
音声符号化データ編集装置１００は、ユーザからの操作を受け付けるキー入力部１０１からの指示に基づいて、主制御部１０２がメディア制御部１０３や音声処理部１０４等を制御することで、録音や再生に加えて録音したデータの編集処理を行う。
【００２１】
録音時の動作は、まずマイク１０５から入力されるアナログ音声情報がＡＤ変換部１０６を介してデジタルＰＣＭ信号に変換される。ＰＣＭ信号は、音声処理部１０４において音声符号化データに符号化処理されバス１０７を介してメモリ１０８に一旦格納される。
【００２２】
メモリ１０８に格納されている音声符号化データは、最終的に大量のデータを蓄積可能なデータ蓄積部１０９を管理するメディア制御部１０３の制御に従って、バス１０７を経由して蓄積、保存される。なお、データ蓄積部１０９は、具体的にはハードディク装置であってもフラッシュメモリであっても構わない。
【００２３】
再生時の動作は、データ蓄積部１０９に保存されている音声符号化データが、メディア制御部１０３およびバス１０７を介してメモリ１０８に一旦展開され、これを音声処理部１０４が復号処理を行い、復号されたＰＣＭ信号は、ＤＡ変換部１１０においてアナログ音声情報に変換されスピーカ１１１で再生出力される。
【００２４】
編集時の動作は、データ蓄積部１０９にある音声符号化データを任意の指定位置で分割処理を行ったり、複数ある音声符号化データの結合処理を行うものであるが、これらの処理に関して説明する前に音声処理部１０４内部の音声符号化処理および音声復号処理について説明する。
【００２５】
図２及び図３は、それぞれ音声処理部１０４内の音声符号化処理部と音声復号処理部のブロック図である。
【００２６】
図２は、音声符号化方式としてＩＴＵ−Ｔで標準化されているＧ．７２６（Ａｎｎｅｘ  Ａ）を使った場合の内部ブロック図を示している。
【００２７】
ＡＤ変換されたＰＣＭ信号は、一般的なＡＤＰＣＭ処理と同様に、差分器２０１にて適応予測部２０２からの出力信号である予測信号との差分を求め、その差分信号を適応量子化部２０３にて量子化および符号化処理を行い、音声符号化データとして出力する。
【００２８】
出力信号は、適応逆量子化部２０４にてＰＣＭ信号に逆変換され適応予測部２０２の入力信号としてフィードバックされる。ここで、適応予測部２０２は、入力サンプル毎に予測器の係数およびメモリの更新を行う処理に加えて、スピーチ信号とトーン信号との判別等を行い、それに応じて係数の追従速度を変えたり、場合によっては係数のリセットを行う。
【００２９】
図３は、図２の音声符号化方式に対応した音声復号処理部１０４の内部ブロック図である。
【００３０】
入力される音声符号化データは、適応逆量子化部３０１で音声符号化処理における差分ＰＣＭ信号に変換され、これに適応予測処理を行う適応予測部３０２の出力信号を加算し、復号ＰＣＭ信号を得る。
【００３１】
ここで、適応逆量子化処理および適応予測処理は、音声符号化処理と整合性のある処理でないと正しく復号できない。これは、音声符号化処理の内の適応逆量子化部２０４から適応予測部２０２までの処理は復号処理と実質同じであり、これらの状態(特に適応予測
器の内部状態)の更新に基づいて符号化処理を行っているからである。
【００３２】
従って、例えば初期状態から音声符号化処理された音声符号化データを中途で分割し、分割された後半のデータを初期状態から音声復号処理すると、復号処理の内部状態によっては異音が発生する場合がある。また、別々に符号化された音声符号化データを結合した場合にも、結合点において符号化処理時に想定する復号処理の状態と実際復号する際の内部状態との間に整合がとれていないため、復号音に異音が発生する可能性がある。
【００３３】
これらの内部状態の不整合は、分割や結合などの編集点において音声符号化処理が分断され、入力ＰＣＭ信号が不連続になることが音声符号化処理(および復号処理)の内部で認識できないためである。
【００３４】
そこで、入力ＰＣＭ信号の不連続を認識できるように、入力信号の一部を(必要であれ
ば遡ったＰＣＭ信号から)再符号化し直し符号化処理(および復号処理)が不連続を認識で
きるように処理することで編集点での不整合が改善することで、異音が発生しない分割、結合処理を実現する。
【００３５】
以下では、主制御部１０２が行う具体的な音声符号化データの分割および結合編集手順について述べる。
【００３６】
図４は、音声符号化データ分割処理フローを示したものである。また、図５は音声符号化データを分割処理する際のイメージ図である。
【００３７】
まず、分割前の原音声符号化データ５０１から分割点Ｂ以降で再符号化するＰＣＭ信号を求めるための処理を行う。実際に原音声符号化データ５０１の元となるＰＣＭ信号を求めることは音声符号化方式上不可能であるため、復号音で代用する。ただし、原音声符号化データを最初から復号し直すのは、データ量によっては処理時間がかかるのでストリームの中途から復号処理を行うようにする。
【００３８】
しかしながら、ストリームの中途から復号する場合には、前述のように復号器の内部状態の整合性問題があるため、適応予測器２０２等の復号処理部が安定するまでの間は復号音が安定せず異音が発生する可能性がある。
【００３９】
そこで、復号処理部が安定するまでの十分なサンプル数分だけ遡って、そこから復号を開始し分割点Ｂ以降は、安定した復号音が得られるようにする。ここで、復号処理部が安定するまでの十分なサンプル数分のデータサイズを規定時間のデータサイズＳとする。これは音声符号化方式が定まれば、理論的あるいは経験的に求められるものである(ステッ
プ４１)。
【００４０】
次に復号開始点を求めるため、主制御部１０２は、メディア制御部１０３を介して原音声符号化データにアクセスすることで分割点Ｂより前にＳ分のデータがあるかどうかをチェックし、Ｓ以上あれば復号開始点Ａを、Ｓ未満であれば原音声符号化データの先頭を復号開始点とする(ステップ４２，４３，４４)。
【００４１】
次に復号終了点を求める。これは、再符号化した音声符号化データでどこまで置き換えるかを示す。これについても、再符号化した音声符号化データと元の原音声符号化データとで符号化器および復号器の内部状態の整合がとれていないと異音が発生する可能性があるため、十分なサンプル数分だけ符号化処理をしたデータで置き換えることで結合点における内部状態の整合をとる。十分なサンプル数は先程と同様Ｓ分のデータである。
【００４２】
従って、復号終了点は、分割点Ｂより後にＳ分のデータがあるかどうかをチェックし、Ｓ以上あれば復号終了点Ｃを、Ｓ未満であれば原音声符号化データの最後を復号終了点として得られる(ステップ４５，４６，４７)。
【００４３】
こうして求めた復号開始点から復号終了までの音声符号化データを原音声符号化データ５０１から切り出し、メモリ１０８に展開する。メモリ１０８に展開された音声符号化データを音声処理部１０４に初期状態から復号処理させ、復号音を再びメモリ１０８に格納することで切り出し後音声復号データ５０２を得る(ステップ４８)。
【００４４】
切り出し後音声復号データのうち、分割点Ｂ以降から復号終了点までのＰＣＭデータを切り出すことで再音声符号化原音データ５０３が得られ、このデータを入力ＰＣＭ信号として音声処理部１０４に初期状態から再符号化処理を行うよう制御することで再符号化データ５０４がメモリ１０８内に得られる(ステップ４９，５０)。
【００４５】
得られた再符号化データ５０４をメディア制御部１０８を介して原音声符号化データ５０１の対応個所のデータと置き換えて分割することで、最終的に分割編集後音声符号化データ５０５が得られる(ステップ５１)。
【００４６】
こうすることで、分割点から復号再生する際に、最初の規定時間内およびその後の再符号化データとの結合点においても内部状態が整合した状態で結合されるため異音なく再生することができる。
【００４７】
図６及び図７は、音声符号化データ結合処理フローを示したものである。また、図８は音声符号化データを結合処理する際のイメージ図である。
【００４８】
まず、分割編集の時と同様に規定時間のデータサイズＳを求める(ステップ６１)。
【００４９】
次に、データ蓄積部１０９内にある結合ファイルの一つであり、前半側のデータの原音声符号化データ(前半)ＢＳ１  ８０１についてメディア制御部１０３を介してアクセスすることで、結合編集点Ｂ１より前に２Ｓ分のデータがあるかどうかチェックし、２Ｓ以上あれば復号開始点Ａ１１を、２Ｓ未満であれば原音声符号化データ(前半)の先頭を復号開始点とする(ステップ６２，６３，６４)。
【００５０】
次に、復号開始点から編集点Ｂ１までの音声符号化データを切り出して、メモリ１０８に展開する。展開した音声符号化データを音声処理部１０４に初期状態から復号処理させ、復号音を再びメモリ１０８に格納することで切り出し後音声復号データ８０２を得る(
ステップ６５)。ここで２Ｓ分遡って復号しているのは、復号開始点から最初のＳ分の復
号音は前述のように中途再生のため安定していないからである。復号したＰＣＭデータを再符号化開始点Ａ１２から結合編集点Ｂ１まで切り出すことで再音声符号化原音データ８０５の前半のＰＣＭデータを得る(ステップ６６)。
【００５１】
次に、データ蓄積部１０９内にある結合ファイルの一つであり、後半側のデータの原音声符号化データ(後半)ＢＳ２  ８０３についてメディア制御部１０３を介してアクセスすることで、結合編集点Ｂ２より前にＳ分のデータがあるかどうかチェックし、Ｓ以上あれば復号開始点Ａ２を、Ｓ未満であれば原音声符号化データ(後半)の先頭を復号開始点とする(ステップ６７，６８，６９)。
【００５２】
次に修正終了点を求める。これも前述のように、再符号化した音声符号化データと元の原音声符号化データとで符号化器および復号器の内部状態の整合がとれていないと異音が発生する可能性があるため、十分なサンプル数分だけ符号化処理をしたデータで置き換えることで結合点における内部状態の整合をとる。修正終了点は、編集点Ｂ２より後にＳ分のデータがあるかどうかをチェックし、Ｓ以上あれば修正終了点Ｃ２を、Ｓ未満であれば原音声符号化データ(後半)ＢＳ２  ８０２の最後を修正終了点として得られる(ステップ
７０，７１，７２)。
【００５３】
次に、復号開始点から修正終了点までの音声符号化データを切り出して、メモリ１０８に展開する。展開した音声符号化データを音声処理部１０４に初期状態から復号処理させ、復号音を再びメモリ１０８に格納することで切り出し後音声復号データ８０４を得る(
ステップ７３)。復号したＰＣＭデータを編集点Ｂ２から修正終了点まで切り出すことで
再音声符号化原音データ８０５の後半のＰＣＭデータを得る(ステップ７４)。
【００５４】
更に、ステップ６６で得られた再音声符号化原音データ８０５の前半のＰＣＭデータと後半のＰＣＭデータとをメモリ１０８内で結合し、結合ＰＣＭデータを入力信号として音声信号処理部１０４に初期状態から再符号化させ、得られた再音声符号化データ８０６をメモリ１０８に書き戻す(ステップ７５)。
【００５５】
最後に、再音声符号化データ８０６の内の編集点Ｂ２から修正終了点までのデータを、メディア制御部１０３を介して原音声符号化データ(後半)ＢＳ２  ８０３の対応個所のデータと置き換えて、編集点にて原音声符号化データ(前半)ＢＳ２  ８０１と結合することで所望の編集後音声符号化データ８０７が得られる(ステップ７６)
こうすることで、結合点においても、また再符号化データで置き換えた修正終了点においても内部状態が整合した状態で結合されるため異音なく再生することができる。
【００５６】
尚、本発明は前記実施形態に限定されるものではない。本発明の要旨を逸脱しない範囲で種々の変形実施が可能である。
【図面の簡単な説明】
【００５７】
【図１】本発明の一実施形態に係る音声符号化データ編集装置の構成を示すブロック図。
【図２】同実施形態における音声符号化処理部の構成を示すブロック図。
【図３】同実施形態における音声復号処理部の構成を示すブロック図。
【図４】同実施形態における音声符号化データ分割処理を示すフローチャート。
【図５】同音声符号化データ分割処理を説明するための図。
【図６】同実施形態における音声符号化データ結合処理を示すフローチャート。
【図７】同音声符号化データ結合処理を説明するための図。
【図８】音声符号化データを結合処理する際のイメージ図。
【符号の説明】
【００５８】
１００…音声符号化データ編集装置、１０１…キー入力部、１０２…主制御部、１０３…メディア制御部、１０４…音声処理部、１０５…マイク、１０６…ＡＤ変換部、１０７…バス、１０８…メモリ、１０９…データ蓄積部、１１０…ＤＡ変換部、１１１…スピーカ、２０１…差分器、２０２…適応予測部、２０３…適応量子化部、２０４…適応逆量子化部、３０１…適応逆量子化部、３０２…適応予測部。
【図１】
2009216915.tif 000003
【図２】
2009216915.tif 000004
【図３】
2009216915.tif 000005
【図４】
2009216915.tif 000006
【図５】
2009216915.tif 000007
【図６】
2009216915.tif 000008
【図７】
2009216915.tif 000009
【図８】
2009216915.tif 000010